(57)【要約】【課題】録画モードの相違による画質の比較を容易になる映像記録再生装置を提供する。【解決手段】複数の画質の画質レベルの相違をテレビに表示させるためにハードディスクレコーダのメモリ２１２に格納されるデータは、第１の画質レベル、第１の画質レベルに応じたデータ、「ＳＵＰＥＲＦＩＮＥ」と表示するためのデータと、第２の画質レベル、当該第２の画質レベルに応じたデータ、「ＦＩＮＥ」と表示するためのデータと、第３の画質レベル、当該第３の画質レベルに応じたデータ、「ＳＴＡＮＤＡＲＤ」と表示するためのデータと、第４の画質レベル、当該第４の画質レベルに応じたデータ、文字画像を表示するデータと、第５の画質レベル、当該第５の画質レベルに応じたデータ、文字画像を表示するためのデータと、第６の画質レベル、当該第６の画質レベルに応じたデータ、「ＬＯＮＧ」と表示するためのデータとを含む。【選択図】図４
2008109376.tif 000002
【特許請求の範囲】
【請求項１】
映像を表示する表示装置に接続される映像記録再生装置であって、
放送信号を受信して選局が指示されたチャンネルの信号を出力するチューナと、
前記チューナから出力された同一の信号を符号化することにより、画像データを出力する複数のエンコーダとを備え、各前記エンコーダの符号化レートはそれぞれ異なり、
前記画像データを格納するハードディスクと、
各前記画像データに基づく各々の画像を縮小画像として表示するための縮小画像データをそれぞれ生成する第１の生成手段と、
データを保持するメモリと、
予め規定された配列に従って各前記縮小画像データを前記メモリに書き込むことにより、各前記縮小画像を前記表示装置の一画面に表示するためのサンプル画像信号を生成する第２の生成手段と、
前記サンプル画像信号を前記表示装置に出力する出力手段と、
前記表示装置の一画面に表示された各前記縮小画像の中のいずれかを選択したことを表わす信号の入力を受け付ける選択入力手段と、
各前記エンコーダに対応する符号化レートのうち、選択された縮小画像に対応する符号化レートを選択する選択手段と、
前記選択手段によって選択された符号化レートに基づいて、前記ハードディスクに画像データを書き込む書込手段とを備える、映像記録再生装置。
【請求項２】
映像記録再生装置であって、
外部から信号を取得する取得手段と、
前記取得手段によって取得された同一の信号を符号化して画像データを出力する複数の符号化手段と、
データを格納する記憶手段と、
各前記符号化手段から出力される画像データを前記記憶手段に書き込む書込手段と、
各前記符号化手段から出力される各前記画像データに基づく各々の画像のうちの複数の画像を一つの画面に表示するためのサンプル画像信号を生成するサンプル画像生成手段と、
前記サンプル画像信号を出力する出力手段とを備える、映像記録再生装置。
【請求項３】
前記サンプル画像生成手段は、前記複数の画像の全てを前記一つの画面に表示するためのサンプル画像信号を生成する、請求項２に記載の映像記録再生装置。
【請求項４】
各前記符号化手段の符号化レートは、それぞれ異なる、請求項２に記載の映像記録再生装置。
【請求項５】
前記サンプル画像生成手段は、
各前記符号化手段から出力される各前記画像データに基づく画像を縮小して表示するための縮小画像データをそれぞれ生成する第１の生成手段と、
予め規定された順序に従って各前記縮小画像データを配置することにより、前記サンプル画像信号を生成する第２の生成手段とを含む、請求項２に記載の映像記録再生装置。
【請求項６】
前記映像記録再生装置は、データを保持するメモリをさらに備え、
前記第２の生成手段は、前記順序に従って各前記縮小画像データを前記メモリに書き込むことにより前記サンプル画像信号を生成する、請求項５に記載の映像記録再生装置。
【請求項７】
前記第２の生成手段は、各前記縮小画像データに対応する符号化レートを特定するデータを、各前記縮小画像データにそれぞれ対応付けて前記メモリに書き込む、請求項６に記載の映像記録再生装置。
【請求項８】
前記表示装置の一画面に表示された前記複数の画像の中のいずれかを選択したことを表わす信号の入力を受け付ける選択入力手段と、
前記信号の入力に基づいて、各前記符号化手段に対応する符号化レートのうち、選択された画像に対応する符号化レートを選択する選択手段とをさらに備え、
前記書込手段は、前記選択手段によって選択された符号化レートを用いて符号化された信号を前記記憶手段に書き込む、請求項２に記載の映像記録再生装置。
【請求項９】
前記取得手段は、放送信号を受信して、選局が指示されたチャンネルの信号を出力するチューナを含む、請求項２に記載の映像記録再生装置。
【請求項１０】
前記取得手段は、外部から映像信号の入力を受け付ける映像信号入力手段を含む、請求項２に記載の映像記録再生装置。
【請求項１１】
前記取得手段は、
映像信号が記録された着脱可能な記録媒体の装着を受け付ける駆動手段と、
前記駆動手段に装着された記録媒体から前記記録された映像信号を読み出す再生手段とを含む、請求項２に記載の映像記録再生装置。
【発明の詳細な説明】
【技術分野】
【０００１】
本発明は映像を記録する装置に関する。より特定的には、本発明は、複数の録画モードで映像を記録できる映像記録再生装置に関する。
【背景技術】
【０００２】
ＤＶＤ（Digital Versatile Disc）、ＨＤＤ（Hard Disk Drive）レコーダその他のデジタル映像記録再生装置は、複数の録画モードで映像を記録することができる。通常、チューナから受信された映像、あるいは外部から入力された映像は、使用者によって予め設定された録画モードにしたがって符号化され、ディスクその他の記録媒体に録画される。
【０００３】
映像記録再生装置に関し、たとえば、特開２００１−２８７４９号公報（特許文献１）は、画質を確かめながら圧縮できる画像圧縮・伸張・表示装置を開示する。
【０００４】
また、特開２００２−１６５１８６号公報（特許文献２）は、可変レートで情報を記録する場合に記録レートの違いによる条件設定の選択肢を表示できるデジタル録画装置を開示する。
【特許文献１】特開２００１−２８７４９号公報
【特許文献２】特開２００２−１６５１８６号公報
【発明の開示】
【発明が解決しようとする課題】
【０００５】
しかしながら、特開２００２−１６５１８６号公報に開示された技術によると、設定条件は、文字による表示であるため、当該装置の使用者は記録レートの違いを直感で把握することができなかった。
【０００６】
本発明は、上述のような問題点を解決するためになされたものであって、その目的は、複数の録画モードの画質の相違の理解を可能にする映像記録再生装置を提供することである。
【課題を解決するための手段】
【０００７】
上記の課題を解決するために、この発明のある局面に従うと、映像を表示する表示装置に接続される映像記録再生装置が提供される。この映像記録再生装置は、放送信号を受信して選局が指示されたチャンネルの信号を出力するチューナと、チューナから出力された同一の信号を符号化することにより、画像データを出力する複数のエンコーダとを備える。各エンコーダの符号化レートはそれぞれ異なる。映像記録再生装置は、画像データを格納するハードディスクと、各画像データに基づく各々の画像を縮小画像として表示するための縮小画像データをそれぞれ生成する第１の生成手段と、データを保持するメモリと、予め規定された配列に従って各縮小画像データをメモリに書き込むことにより、各縮小画像を表示装置の一画面に表示するためのサンプル画像信号を生成する第２の生成手段と、サンプル画像信号を表示装置に出力する出力手段と、表示装置の一画面に表示された各縮小画像の中のいずれかを選択したことを表わす信号の入力を受け付ける選択入力手段と、各エンコーダに対応する符号化レートのうち、選択された縮小画像に対応する符号化レートを選択する選択手段と、選択手段によって選択された符号化レートに基づいて、ハードディスクに画像データを書き込む書込手段とを備える。
【０００８】
この発明の他の局面に従う映像記録再生装置は、外部から信号を取得する取得手段と、取得手段によって取得された同一の信号を符号化して画像データを出力する複数の符号化手段と、データを格納する記憶手段と、各符号化手段から出力される画像データを記憶手段に書き込む書込手段と、各符号化手段から出力される各画像データに基づく各々の画像のうちの複数の画像を一つの画面に表示するためのサンプル画像信号を生成するサンプル画像生成手段と、サンプル画像信号を出力する出力手段とを備える。
【０００９】
好ましくは、サンプル画像生成手段は、複数の画像の全てを一つの画面に表示するためのサンプル画像信号を生成する。
【００１０】
好ましくは、各符号化手段の符号化レートは、それぞれ異なる。
好ましくは、サンプル画像生成手段は、各符号化手段から出力される各画像データに基づく画像を縮小して表示するための縮小画像データをそれぞれ生成する第１の生成手段と、予め規定された順序に従って各縮小画像データを配置することにより、サンプル画像信号を生成する第２の生成手段とを含む。
【００１１】
好ましくは、映像記録再生装置は、データを保持するメモリをさらに備える。第２の生成手段は、順序に従って各縮小画像データをメモリに書き込むことによりサンプル画像信号を生成する。
【００１２】
好ましくは、第２の生成手段は、各縮小画像データに対応する符号化レートを特定するデータを、各縮小画像データにそれぞれ対応付けてメモリに書き込む。
【００１３】
好ましくは、映像記録再生装置は、表示装置の一画面に表示された複数の画像の中のいずれかを選択したことを表わす信号の入力を受け付ける選択入力手段と、信号の入力に基づいて、各符号化手段に対応する符号化レートのうち、選択された画像に対応する符号化レートを選択する選択手段とをさらに備える。書込手段は、選択手段によって選択された符号化レートを用いて符号化された信号を記憶手段に書き込む。
【００１４】
好ましくは、取得手段は、放送信号を受信して、選局が指示されたチャンネルの信号を出力するチューナを含む。
【００１５】
好ましくは、取得手段は、外部から映像信号の入力を受け付ける映像信号入力手段を含む。
【００１６】
好ましくは、取得手段は、映像信号が記録された着脱可能な記録媒体の装着を受け付ける駆動手段と、駆動手段に装着された記録媒体から記録された映像信号を読み出す再生手段とを含む。
【発明の効果】
【００１７】
本発明に係る映像記録再生装置によると、使用者は、複数の録画モードの画質の相違の理解を容易に把握することができる。
【発明を実施するための最良の形態】
【００１８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１９】
図１を参照して、本発明の実施の形態に係る映像記録再生装置１００について説明する。図１は、映像記録再生装置１００によって実現される機能の構成を表わすブロック図である。映像記録再生装置１００は、指示入力部１１０と、選択部１２０と、取得部１３０と、符号化部１４０と、サンプル画像生成部１５０と、書込部１６０と、記憶部１７０と、再生部１８０と、出力部１９０とを備える。符号化部１４０は、複数の符号化部を含み、以下、第１の符号化部１４０−１、第ｎの符号化部１４０−ｎ等と表わす。
【００２０】
指示入力部１１０は、映像記録再生装置１００の外部から指示の入力を受け付ける。指示入力部１１０は、映像記録再生装置１００に接続される映像表示装置（たとえばテレビ）の１画面に表示された複数の画像の中のいずれかを選択したことを表わす信号の入力を受け付ける。
【００２１】
選択部１２０は、指示入力部１１０からの出力に基づいて作動するように指示入力部１１０に接続されている。選択部１２０は、指示入力部１１０によって受け付けられた信号に基づいて、各符号化部１４０−ｎに対応する符号化レートのうち選択された画像に対応する符号化レートを選択する。
【００２２】
取得部１３０は、映像記録再生装置１００の外部から信号を取得する。より特定的には、ある局面においては、取得部１３０は、放送信号を受信して、選局が指示されたチャンネルの信号を出力するチューナとして実現される。他の局面においては、取得部１３０は、外部から映像信号の入力を受け付ける映像信号入力インターフェイスとして実現される。さらに他の局面においては、取得部１３０は、映像信号が記録された着脱可能な記録媒体の装着を受け付ける駆動装置と、当該駆動装置に装着された記録媒体から記録された映像信号を読み出すピックアップとして実現される。当該記録媒体は、たとえば、ＤＶＤその他の光ディスク、フラッシュメモリなどにより実現されるメモリカードなどである。あるいは、取得部１３０は、ハードディスク装置のように、映像記録再生装置１００に固定された記録媒体と、その記録媒体からのデータの読み出しと書き込みとを行なう構成であってもよい。
【００２３】
符号化部１４０は、取得部１３０からの出力と選択部１２０からの出力とに基づいて作動するように、取得部１３０と選択部１２０とに接続されている。符号化部１４０は、取得部１３０によって取得された信号を圧縮符号化して画像データを出力する。符号化部１４０は、たとえばＭＰＥＧ（Moving Picture Experts Group）エンコーダとして実現される。好ましくは、符号化部１４０を構成する各々の符号化部１４０−１から１４０−ｎの符号化レートは、それぞれ異なる。たとえば、各符号化レートは、映像記録再生装置１００が実現する所謂録画モード（例、高画質モード、長時間記録モード等）に対応付けられている。
【００２４】
符号化部１４０のうちの少なくとも一つは、選択部１２０による選択に応じて作動し、当該作動する符号化部１４０は、画像データを書込部１６０あるいはサンプル画像生成部１５０に送出する。
【００２５】
サンプル画像生成部１５０は、符号化部１４０からの出力に基づいて作動するように符号化部１４０に接続されている。サンプル画像生成部１５０は、複数の符号化部１４０−ｎの各々からの画像データに基づく画像のうち複数の画像を上記の映像表示装置の１つの画面に表示するための信号（以下サンプル画像信号と表わす）を生成する。好ましくは、サンプル画像生成部１５０は、複数の符号化部１４０のすべてを上記１つの画面に表示するためのサンプル画像信号を生成する。
【００２６】
他の局面において、サンプル画像生成部１５０は、各符号化部１４０から出力される各画像データに基づく画像を縮小して表示するためのデータ（以下「縮小画像データ」と表わす。）をそれぞれ生成する第１の生成部と、予め規定された順序に従って当該縮小画像データを配置することによりサンプル画像を生成する第２の生成部とを含む。
【００２７】
好ましくは第２の生成部は、上記の予め規定された順序に従って各縮小画像データを映像記録再生装置１００の備えるワーク領域に書き込むことにより当該サンプル画像信号を生成する。さらに他の局面において、第２の生成部は、各縮小画像データに対応する符号化レートを特定するためのデータをその縮小画像データに対応付けて上記のワーク領域に書き込む。
【００２８】
書込部１６０は、指示入力部１１０からの出力と符号化部１４０からの出力とに基づいて作動するように、指示入力部１１０および符号化部１４０にそれぞれ接続されている。書込部１６０は、指示入力部１１０によって受け付けられた指示に基づいて、符号化部１４０から出力される画像データを記憶部１７０に逐次格納する。他の局面において、書込部１６０は、符号化部１４０のうちの一つの符号化部１４０−ｎから出力された画像データを記憶部１７０に格納する。別の局面においては、書込部１６０は、符号化部１４０−１〜１４０−ｎのうちの複数の符号化部から出力された各画像データを記憶部１７０に順次格納する。
【００２９】
記憶部１７０は、画像データあるいは音声データを格納する。記憶部１７０は、ある局面においては、固定式のデータ記録装置として実現される。また他の局面においては、記憶部１７０は、ＤＶＤその他の着脱可能な記録媒体としても実現される。さらに、記憶部１７０は、固定式のデータ記録装置と着脱可能な記録媒体との組み合わせによっても実現される。
【００３０】
再生部１８０は、指示入力部１１０からの出力に基づいて作動するように、指示入力部１１０と記憶部１７０と出力部１９０とにそれぞれ接続されている。再生部１８０は、指示入力部１１０によって受け付けられた再生指示に基づいて、記憶部１７０から要求されたデータを読み出す。再生部１８０は、その読み出したデータを出力部１９０に送出する。
【００３１】
出力部１９０は、サンプル画像生成部１５０からの出力あるいは再生部１８０からの出力に基づいて作動するように、サンプル画像生成部１５０と再生部１８０とにそれぞれ接続されている。出力部１９０は、指示入力部１１０によって受け付けられた指示に応じてデータの出力源を切り換える。出力部１９０は、記憶部１７０に格納されているデータの再生が指示されている場合には、再生部１８０から送出されるデータを受け付けて映像記録再生装置１００の外部に送出する。映像記録再生装置１００の外部にテレビその他の映像表示装置が接続されている場合には、その映像表示装置は再生された映像を表示する。
【００３２】
他の局面において、サンプル画像生成部１５０からの出力が指示入力部１１０によって受け付けられている場合には、出力部１９０は、データの出力源をサンプル画像生成部１５０に切り換える。出力部１９０は、サンプル画像生成部１５０から出力される上記のサンプル画像信号を当該映像表示装置に送出する。この場合、映像表示装置は、各符号化部１４０によって生成された画像の縮小画像を１画面に表示する。
【００３３】
図２を参照して、本実施の形態に係る映像記録再生装置１００の具体的構成の一態様について説明する。図２は、当該映像記録再生装置として実現されるハードディスクレコーダ２００のハードウェア構成を表わすブロック図である。
【００３４】
ハードディスクレコーダ２００は、アンテナ２０２に接続されている。また、ハードディスクレコーダ２００は、ケーブル２９２を介してテレビ２９０に接続されている。ハードディスクレコーダ２００は、主たる構成として、チューナ２０４と、外部入力部２０６と、６つのＭＰＥＧエンコーダ２０８−１〜２０８−６と、ＣＰＵ（Central Processing Unit）２１０と、受光部２２０と、操作部２２２と、計時回路２２８と、表示部２３０と、ハードディスク装置２４０と、ＭＰＥＧデコーダ２５０と、ＯＳＤ（On Screen Display）画像生成回路２５２と、合成回路２５４と、Ｄ／Ａ（Digital to Analog）変換部２５６と、出力部２５８とを含む。
【００３５】
ＣＰＵ２１０は、メモリ２１２を含む。ハードディスク装置２４０は、ピックアップ２４２とハードディスク２４４とを含む。ＤＶＤ駆動装置２７２は、ＤＶＤ２７２が装着可能である。なお、本実施の形態に係るハードディスクレコーダ２００は、６つのＭＰＥＧエンコーダ２０８−１〜２０８−６を有しているが、ＭＰＥＧエンコーダの数はこれに限られない。少なくとも複数のＭＰＥＧエンコーダがハードディスクレコーダ２００に含まれていればよい。また、画像データの符号化はハードウェアとしてのエンコーダによらなくても、ソフトウェアを用いた処理によって実現されてもよい。
【００３６】
チューナ２０４は、アンテナ２０２によって受信された信号の入力を受け付ける。チューナ２０４は、ＣＰＵ２１０からの選局指令に基づいて選局が指示されたチャンネルを選択する。選択されたチャンネルの信号は、ＭＰＥＧエンコーダ２０８−１〜２０８−６に送出される。
【００３７】
外部入力部２０６は、外部から映像信号および／または音声信号の入力を受け付ける。外部入力部２０６は、たとえば映像音声信号の入力を受ける端子として実現される。入力された映像信号は、ＭＰＥＧエンコーダ２０８−１〜２０８−６に送出される。
【００３８】
ＭＰＥＧエンコーダ２０８−１〜２０８−６は、ＣＰＵ２１０からの指示に基づいて、チューナ２０４あるいは外部入力部２０６から送出された信号を符号化する。ＭＰＥＧエンコーダ２０８によって符号化された各信号は、ＣＰＵ２１０の指示に応じてハードディスク装置２４０あるいはＤＶＤ駆動装置２７０に送出される。
【００３９】
受光部２２０は、ハードディスクレコーダ２００の動作を制御するためのリモコン端末（図示しない）によって発信された信号を受信し、その信号に応じた制御信号をＣＰＵ２１０に対して送出する。リモコン端末から発信される信号は、たとえば赤外線信号である。ＣＰＵ２１０は、その制御信号に応じた動作を実行する命令を、ハードディスクレコーダ２００の各部に対して送出する。
【００４０】
操作部２２２は、ユーザ入力インターフェイスとして、ハードディスクレコーダ２００の使用者による指示の入力を受け付ける。操作部２２２は、たとえばハードディスクレコーダ２００の筐体の前面に設けられたボタンあるいはタッチパネルとして実現される。操作部２２２は、当該操作に応じた電気信号をＣＰＵ２１０に送出する。ＣＰＵ２１０は、受光部２２０から出力される制御信号を受信した場合の動作と同様に、操作部２２２から出力される信号に応じた動作を実現するための命令を各部に対して出力する。
【００４１】
計時回路２２８は、ハードディスクレコーダ２００の内部時刻を表わす情報をＣＰＵ２１０に送出する。表示部２３０は、ＣＰＵ２１０からの信号に基づいてハードディスクレコーダ２００の作動状態を表わす表示を行なう。ここで作動状態とは、ハードディスクレコーダ２００が再生しているか、あるいは録画動作を実行しているかその他のハードディスクレコーダ２００が有する機能に基づいて実現される動作の状態をいう。
【００４２】
ハードディスク装置２４０は、ＣＰＵ２１０による指示に基づいて、ＭＰＥＧエンコーダ２０８−１から２０８−６のいずれかから出力されたデジタルデータを逐次記録する。ある局面においては、ハードディスク装置２４０は、いずれか１つのＭＰＥＧエンコーダ２０８から出力されたデジタルデータを記録する。他の局面においては、ハードディスク装置２４０は、ＭＰＥＧエンコーダ２０８−１〜２０８−６の複数のＭＰＥＧエンコーダから出力された各デジタルデータを一時バッファに蓄積し、そして、ハードディスク２４４に格納する。また、ハードディスクレコーダ２００が再生の指示を受け付けた場合には、ハードディスク装置２４０は、ＣＰＵ２１０からの再生命令に基づいて、ハードディスク２４４に既に格納されているデータを読み出し、読み出したデータをＭＰＥＧデコーダ２５０に対して出力する。
【００４３】
ＭＰＥＧデコーダ２５０は、ハードディスク装置２４０から読み出されたデータあるいはＤＶＤ駆動装置２７０に装着されているＤＶＤ２７２から読み出されたデータを復号する。復号されたデータは、合成回路２５４に入力される。
【００４４】
ＯＳＤ画像生成回路２５２は、ＣＰＵ２１０から出力される信号に基づいてハードディスクレコーダ２００の内部の状態を表わす画像データを生成する。ＯＳＤ画像生成回路２５２は、その生成したデータを合成回路２５４に送出する。合成回路２５４は、ＭＰＥＧデコーダ２５０から出力される映像データと、ＯＳＤ画像生成回路２５２から出力される画像データとを合成して、合成された信号をＤ／Ａ変換部２５６に送出する。なお、ＯＳＤ画像生成回路２５２から画像データが出力されていない場合には、合成回路２５４は、ＭＰＥＧデコーダ２５０から出力されるデータのみをＤ／Ａ変換部２５６に送出する。
【００４５】
Ｄ／Ａ変換部２５６は、合成回路２５４から出力されたデジタルデータをアナログ信号に変換して、変換後の信号を出力部２５８に送出する。出力部２５８は、そのアナログ信号を外部に出力する。テレビ２９０は、その信号に基づいて映像を表示する。表示される映像には、通常のコンテンツに加えて、録画モードの相違を明示するために生成された複数の画像を一画面に含むサンプル画像も含まれる。
【００４６】
なお、ハードディスクレコーダ２００に接続されるテレビその他の映像表示装置がデジタルデータの入力を直接受け付けることができる場合には、デジタル−アナログ変換処理は行なわれなくてもよい。したがって、ハードディスクレコーダ２００は、Ｄ／Ａ変換部２５６を有さなくてもよい。この場合、合成回路２５４から出力されるデジタルデータは、必要な処理が行なわれた後、デジタルデータのまま外部に出力される。
【００４７】
本発明に係る映像記録再生装置１００は、ハードディスク装置とＤＶＤ駆動装置とを備えるハードディスクレコーダ２００のみによって実現されるものではない。たとえば、ＤＶＤ駆動装置を有さないハードディスクレコーダとして、あるいは、ハードディスク装置を有さないＤＶＤレコーダとしても実現可能である。また、画質の比較の対象となるデータが記録される媒体は、ハードディスク、あるいはＤＶＤその他の光ディスクに限られない。たとえば、フラッシュメモリその他の電気的に読み書き可能な記録媒体であってもよい。
【００４８】
図３を参照して、本実施の形態に係るハードディスクレコーダ２００の制御構造について説明する。図３は、ハードディスクレコーダ２００が備えるＣＰＵ２１０が実行する一連の動作を表わすフローチャートである。
【００４９】
ステップＳ３１０にて、ＣＰＵ２１０は、受光部２２０によって受光されたリモコン信号に基づいて、ハードディスクレコーダ２００の動作モードを画質比較モードに移動する旨の指示を検知する。
【００５０】
ステップＳ３２０にて、ＣＰＵ２１０は、チューナ２０４あるいはハードディスク装置２４０に予め格納されているデータ（映像信号）を取得する。ＣＰＵ２１０は、取得した映像信号を内部メモリ２１２において確保したワーク領域に格納する。
【００５１】
ステップＳ３３０にて、ＣＰＵ２１０は、ＭＰＥＧエンコーダ２０８−１〜２０８−６に対して、チューナ２０４あるいはハードディスク装置２４０から読出された同一の映像信号を、各々のＭＰＥＧエンコーダについて予め規定された符号化レートを用いて符号化する命令を送出する。
【００５２】
ステップＳ３４０にて、ＣＰＵ２１０は、各ＭＰＥＧエンコーダ２０８によって符号化された画像データをメモリ２１２に格納する。ＣＰＵ２１０は、その画像データを用いていわゆる間引き処理を行なうことにより縮小画像用のデータを生成する。この場合、間引く処理に使用されるパラメータは、一画面に表示される縮小画像の数に応じて決定される。
【００５３】
ステップＳ３５０にて、ＣＰＵ２１０は、生成した縮小画像用のデータと、対応するＭＰＥＧエンコーダ２０８の符号化レートの表示（たとえば予め設定された録画モードを表わす文字）とを、メモリ２１２の他のワーク領域に書き込み、縮小画像をテレビ２９０の１画面に表示するためのデータ（サンプル画像信号）を生成する。
【００５４】
ステップＳ３６０にて、ＣＰＵ２１０は、その生成したデータをＭＰＥＧデコーダ２５０に送出する。ＭＰＥＧデコーダ２５０は、そのデータを復号し、合成回路２５４に送出する。ステップＳ３７０にて、ＣＰＵ２１０は、出力部２５８に命令を送出してハードディスクレコーダ２００の外部に対して復号されたデータを出力させる。
【００５５】
なお、上述のように、ある局面において、本実施の形態に係るハードディスクレコーダ２００の制御は、ソフトウェアによる情報処理に基づいてハードウェアの動作を制御する態様として実現される。しかしながら、他の局面においては、各制御を実現する回路素子その他のハードウェアの組み合わせとしても実現される。
【００５６】
図４を参照して、本実施の形態に係るハードディスクレコーダ２００のデータ構造について説明する。図４は、メモリ２１２におけるデータの格納の一態様を概念的に表わす図である。メモリ２１２は、データを格納するための複数のメモリ領域を含む。各メモリ領域は、たとえば図４に示されるように、列４０１，４０２，４０３と、行４１１〜４２３とによって規定される。たとえば列４０１および行４１１〜４１３によって規定されるメモリ領域には、第１の画質レベルについて画像を表示するためのデータが格納されている。このデータは、ＣＰＵ２１０によって書き込まれる。
【００５７】
より具体的には、「第１の画質レベル」という文字画像を表示するための文字データと、当該第１の画質レベルに応じてＭＰＥＧエンコーダ２０８によって生成されたデジタルデータと、当該第１の画質レベルが録画モードでどの程度に相当するかを表わす文字（たとえば高画質モードであることを表わす「ＳＵＰＥＲＦＩＮＥ」）を表わすデータとがそれぞれ格納されている。これらのデータがテレビ２９０に出力されると、テレビ２９０は、左上の画像表示領域に、「第１の画質レベル」と表わす文字と、当該第１の画質レベルに応じて生成された画像と、「ＳＵＰＥＲＦＩＮＥ」と表わす文字とを表示する。
【００５８】
なお、図４に示されるデータ構造は、一画面に６つの画像が表示される場合の構造を表わしているため、その他の数の画像が一画面に表示される場合には、その数に応じたデータが同様にメモリ２１２に格納される。
【００５９】
同様に、他のメモリ領域に格納されているデータもテレビ２９０に出力されると、各領域に格納されているデータに応じた画像がテレビ２９０の画面に示される。
【００６０】
そこで、図５を参照して、本実施の形態に係るハードディスクレコーダ２００が接続されたテレビ２９０における画面の表示態様について説明する。図５は、図４に示されるデータに基づく映像がテレビ２９０に表示されていることを表わす図である。
【００６１】
テレビ２９０は、メモリ２１２に格納されているデータ（図４）に基づいて各画質レベルに応じて生成された縮小画像をそれぞれ１画面に表示している。この場合、文字列画像５１０は、示されている画像のレベルが「第１の画質レベル」であることを表示している。縮小画像５１１は、列４０１および行４１２によって規定されるメモリ領域に格納されている「第１の画質レベルに応じたデータ」に基づいて生成された画像を表わす。文字画像５１２は、同様に列４０１および行４１３によって規定されるメモリ領域に格納されているデータに基づいて当該第１の画質レベルの録画モードがどの程度かを表わす文字情報に相当する。
【００６２】
同様に、第２の画質レベルから第６の画質レベルについても表示される。本実施の形態においては、ハードディスクレコーダ２００が６つのＭＰＥＧエンコーダ２０８−１〜２０８−６を備えている場合について説明したが、ＭＰＥＧエンコーダ２０８の数は、これに限られない。また、ＭＰＥＧエンコーダ２０８の数が増加することにより１つ１つの縮小画像がさらに小さくなり画像の識別性が低下すると考えられる場合には、１画面にすべてを表示する態様に代えて第２の画面に一部を表示する構成であってもよい。この場合、使用者による比較を容易にするために、少なくとも、画質のレベルの変更に合わせて画像が順次表示される態様であればよい。
【００６３】
以上のようにして、本実施の形態に係るハードディスクレコーダ２００は、同一の映像信号に基づいて異なった符号化レートを用いて符号化した画像を、テレビ２９０に一画面に縮小画像として表示させることができる。ハードディスクレコーダ２００の使用者は、各縮小画像を一覧することができるため、録画品質を容易に比較することができる。使用者は、録画時間と録画品質とのバランスが取れたモードで録画することができる。
【００６４】
＜第１の変形例＞
以下、本実施の形態の第１の変形例について説明する。本変形例に係る映像記録再生装置は、縮小画像の選択を検知して、デフォルトとして設定される録画モードを切り換えらる機能を有する点で、前述の映像記録再生装置１００と異なる。
【００６５】
なお、本変形例に係る映像記録再生装置は前述の映像記録再生装置１００と同一のハードウェア構成を有する。それらの機能も同じである。したがって、ここではそれらについての説明は繰り返さない。本変形例に係る映像記録再生装置は、ＣＰＵ２１０によって実現される機能が異なる。
【００６６】
そこで、図６を参照して、本変形例に係る映像記録再生装置の制御構造について説明する。図６は、本変形例に係る映像記録再生装置として作動するハードディスクレコーダ２００のＣＰＵ２１０が実行する一連の動作を表わすフローチャートである。
【００６７】
ステップＳ６１０にて、本変形例に係るハードディスクレコーダ２００のＣＰＵ２１０は、受光部２２０からの出力に基づいて、リモコン端末（図示しない）から信号を受信したことを検知する。
【００６８】
ステップＳ６２０にて、ＣＰＵ２１０は、その受信した信号がテレビ２９０に一覧表示された画像から録画モードの選択を行なうための信号であるか否かを判断する。ＣＰＵ２１０は、当該リモコン信号に含まれる制御コードの内容に基づいて、そのことを判断する。ＣＰＵ２１０は、その信号が一覧表示された画像から録画モードを選択するための信号であると判断すると（ステップＳ６２０にてＹＥＳ）、制御をステップＳ６３０に切り替える。そうでない場合には（ステップＳ６２０にてＮＯ）、制御をステップＳ６４０に切り替える。
【００６９】
ステップＳ６３０にて、ＣＰＵ２１０は、映像を記録する際の録画モードとして、選択された録画モードをメモリ２１２の管理領域に格納する。具体的には、ＣＰＵ２１０は、録画モードを特定するためのデータを、録画の際に参照するメモリ領域に格納する。
【００７０】
そこで、図７を参照して、本変形例に係る映像記録再生装置のデータ構造について説明する。図７は、本変形例に係る映像記録再生装置として機能するハードディスクレコーダ２００のメモリ２１２におけるデータの格納の一態様を概念的に表わす図である。メモリ２１２は、データを格納するための複数のメモリ領域７１０〜７６０を有する。
【００７１】
メモリ領域７１０には、デフォルトの録画モードを表わすデータが格納される。図７に示される例では、デフォルトの録画モードは「第３の画質レベル」（ＳＴＡＮＤＡＲＤ）である。このデータは、リモコン端末の操作によって、あるいは操作部２２２に対する操作に応じて変更可能である。具体的には、前述のＣＰＵ２１０による処理（ステップＳ６３０）が実行されると、選択された録画モードを表わすデータがメモリ領域７１０に上書きされる。
【００７２】
また、当該録画モードは録画する番組毎に異なるものであってもよい。たとえばメモリ領域７２０〜７６０は、ハードディスクレコーダ２００における予約情報を表わす。予約番号は、メモリ領域７２０に格納されている。録画開始時刻を表わすデータは、メモリ領域７３０に格納されている。録画が終了する時刻を表わすデータは、メモリ領域７４０に格納されている。選択されたチャンネルは、メモリ領域７５０に格納されている。録画モードを表わすデータは、メモリ領域７６０に格納されている。ここで、ハードディスクレコーダ２００の使用者は、リモコン端末（図示しない）あるいは操作部２２２を操作することにより、メモリ領域７６０に格納されるデータを変更することができる。この場合、ＣＰＵ２１０は、受光部２２０から出力される信号あるいは操作部２２２から出力される信号に応じて予め準備された複数の録画モードを表わすデータのうち選択された録画モードに対応するデータをメモリ領域７６０に逐次書き込む。これにより、デフォルトの録画モード（メモリ領域７１０）と異なる録画モードが予約情報として設定可能になる。
【００７３】
以上のようにして、本変形例に係るハードディスクレコーダ２００によると、複数の縮小画像のいずれかが選択されたことに基づいて、当該選択された画像を生成した符号化レートを選択する。この符号化レートは録画モードに対応付けられている。したがって、ハードディスクレコーダ２００の使用者は、実際に画像を見ながら録画モードを選択することができるため、録画の目的に応じた記録を実現することができる。
【００７４】
＜第２の変形例＞
以下、本実施の形態の第２の変形例について説明する。本変形例に係る映像記録再生装置は、録画モードに加えて当該録画モードに最も好ましい映像のジャンルを表示する機能を有する点で、前述の各映像記録再生装置と異なる。なお、本変形例に係る映像記録再生装置は、たとえば図２に示されるハードウェア構成を有するハードディスクレコーダを用いて実現される。この場合、本変形例に係るハードディスクレコーダは、ＣＰＵ２１０が実行する処理およびメモリ２１２その他のデータ記憶部に格納されるデータが異なる。
【００７５】
そこで、最初に、図８を参照して、本変形例に係る映像記録再生装置のデータ構造について説明する。図８は、本変形例に係る映像記録再生装置として機能するハードディスクレコーダ２００のメモリ２１２におけるデータの格納の一態様を概念的に表わす図である。メモリ２１２は、データを格納するための複数のメモリ領域８１０，８２０を含む。
【００７６】
録画モードを表わすデータは、メモリ領域８１０に格納される。当該録画モードに対応付けられ得る映像のジャンルを表わすデータは、メモリ領域８２０に格納される。メモリ領域８１０とメモリ領域８２０とにそれぞれ格納されているデータは、相互に関連付けられる。したがって、いずれかのデータが特定されると、他の領域に格納されているデータも特定される。
【００７７】
なお、メモリ領域８２０に格納されるデータ（たとえば「スポーツ」、「映画」など）は図８に示されるものに限られない。また、メモリ領域８２０に格納されるデータは、映像記録再生装置１００の使用者によって変更可能なものであってもよい。また、複数のジャンルを表わすデータがメモリ領域８２０に格納されるものであってもよい。ＣＰＵ２１０は、メモリ２１２に格納されている上記のデータを用いて縮小画像を表示するためのサンプル画像信号を生成する。
【００７８】
そこで、図９を参照して、本変形例に係る映像記録再生装置によって保持されるデータについて説明する。図９は、ハードディスクレコーダ２００が縮小画像を生成している間におけるメモリ２１２のデータの格納の一態様を表わす図である。なお、図９に示されるデータ構造と図４に示されるデータ構造との相違は、１つの縮小画像を表示するために使用されるデータ項目の数が図４における３つから４つに変わっている点のみである。したがって、以下ではその相違点のみについて説明する。
【００７９】
すなわち、ある画質レベルについて縮小画像を表示するために使用されるデータは、列４０１および行４１１〜４１４によって規定される各メモリ領域に格納されているデータに基づいて生成される。ここで、行４１１〜４１３に格納されるデータは、図４に示される当該行に格納されるデータと同じである。
【００８０】
さらに、本変形例に係るハードディスクレコーダ２００は、行４１４によって規定される領域に格納されているデータを使用する。当該領域には、前述の映像のジャンルを表わすデータが格納される。たとえば列４０１および行４１４に規定されるメモリ領域には、「スポーツ」を表わすデータが格納されている。このデータは、メモリ領域８２０（図８）に格納されているデータである。すなわち、行４１３に格納されている録画モードを表わすデータが「ＳＵＰＥＲＦＩＮＥ」であるため、このデータに対応するデータがメモリ領域８２０から読み出され、列４０１および行４１４によって規定される領域に書き込まれる。ＣＰＵ２１０は、このようにして生成したデータを映像記録再生装置の外部に出力する。
【００８１】
そこで、図１０を参照して、本変形例に係る映像記録再生装置の制御構造について説明する。図１０は、本変形例に係る映像記録再生装置として機能するハードディスクレコーダ２００のＣＰＵ２１０が実行する一連の動作を表わすフローチャートである。なお、前述の実施の形態における動作と同一の動作には同一のステップ番号を付してある。したがって、ここではそれらについての説明は繰り返さない。
【００８２】
ステップＳ１０５０にて、ＣＰＵ２１０は、縮小画像用のデータと、対応する符号化レートの表示（たとえば、録画モードを表わす文字）と、当該録画モードに対応付けられている映像のジャンルを表わすデータとをメモリ２１２のワーク領域に書き込み、縮小画像を１画面に表示するためのデータを生成する（図９）。
【００８３】
ステップＳ３６０にて、ＣＰＵ２１０は、ＭＰＥＧデコーダ２５０にそのデータを送出する。ＭＰＥＧデコーダ２５０は、そのデータを復号する。ステップＳ３７０にて、ＣＰＵ２１０は、復号されたデータをハードディスクレコーダ２００の外部に出力させる。その結果、テレビ２９０は、図９に基づく画像を表示する。
【００８４】
そこで、図１１を参照して、本変形例に係る映像記録再生装置が接続されたテレビの表示態様について説明する。図１１は、ハードディスクレコーダ２００が接続されたテレビ２９０の一覧画面を表わす図である。
【００８５】
テレビ２９０は、図９に示されるデータの入力を受け付けると、そのデータに基づく画像を表示する。具体的には、テレビ２９０は、複数の画質レベルの各々について、画像データと、当該画像データに対応する録画モードと、当該録画モードに対応して関連付けられている映像のジャンル（たとえばスポーツ、映画など）とを表示する。
【００８６】
図１１に示される例では、第１の画質レベルを表わす文字画像５１０と、縮小画像５１１と、録画モードを表わす文字画像５１２とに加えて、対応する映像のジャンルを表わす文字画像１１００が示される。このような表示により、映像記録再生装置の使用者は、表示された縮小画像に対して最も好ましい映像のジャンルを容易に型に確認することができる。
【００８７】
以上のようにして、本変形例に係る映像記録再生装置は、縮小画像に加えて、予め規定された画像の種類（スポーツ、映画等）を表示する。このようにすると、たとえば、データサイズを大きめにして画質を優先して記録する映像（例、スポーツ）と、画質よりも時間を優先して記録する映像（例、ニュース）との選択が容易になる。その結果、映像記録再生装置の使用者にとって、利便性が向上し得る。
【００８８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８９】
【図１】本発明の実施の形態に係る映像記録再生装置１００によって実現される機能の構成を表わすブロック図である。
【図２】映像記録再生装置１００として実現されるハードディスクレコーダ２００のハードウェア構成を表わすブロック図である。
【図３】本発明の実施の形態に係るハードディスクレコーダ２００のＣＰＵ２１０が実行する一連の動作を表わすフローチャートである。
【図４】ハードディスクレコーダ２００のメモリ２１２におけるデータの格納の一態様を概念的に表わす図である。
【図５】ハードディスクレコーダ２００が接続されたテレビ２９０に映像が表示されていることを表わす図である。
【図６】本発明の実施の形態の第1の変形例に係るハードディスクレコーダ２００のＣＰＵ２１０が実行する一連の動作を表わすフローチャートである。
【図７】本発明の実施の形態の第1の本変形例に係るハードディスクレコーダ２００のメモリ２１２におけるデータの格納の一態様を概念的に表わす図である。
【図８】本発明の実施の形態の第2の変形例に係るハードディスクレコーダ２００のメモリ２１２におけるデータの格納の一態様を概念的に表わす図である。
【図９】本発明の実施の形態の第2の変形例に係るハードディスクレコーダ２００のメモリ２１２のデータの格納の一態様を表わす図である。
【図１０】本発明の実施の形態の第2の変形例に係るハードディスクレコーダ２００のＣＰＵ２１０が実行する一連の動作を表わすフローチャートである。
【図１１】本発明の実施の形態の第2の変形例に係るハードディスクレコーダ２００が接続されたテレビ２９０の一覧画面を表わす図である。
【符号の説明】
【００９０】
１００  映像記録再生装置、２００  ハードディスクレコーダ、２０２  アンテナ、２４２  ピックアップ、２４４  ハードディスク、２７２  ＤＶＤ、２９２  ケーブル。
【図１】
2008109376.tif 000003
【図２】
2008109376.tif 000004
【図３】
2008109376.tif 000005
【図４】
2008109376.tif 000006
【図５】
2008109376.tif 000007
【図６】
2008109376.tif 000008
【図７】
2008109376.tif 000009
【図８】
2008109376.tif 000010
【図９】
2008109376.tif 000011
【図１０】
2008109376.tif 000012
【図１１】
2008109376.tif 000013